(57)【要約】【課題】環状であるとともに一部がスリットで分断される複数枚の導電金属製の導電板が、スリットの位置を順次オフセットしつつ積層され、その積層状態での通電経路を螺旋状とすべく積層方向で隣接する導電板同士が前記スリットの一側および他側で接合される積層コイルにおいて、手間がかからないようにして容易に製作可能としてコスト低減を図る。【解決手段】導電性を有する金属素材の両面に該金属素材よりも軟質である絶縁皮膜７が被着されて成る複合素材から形成される複数枚の導電板６が、その導電板６の両面に被着された絶縁皮膜７を対向させつつ積層され、積層方向で隣接する導電板６のうち一方の導電板６のスリット８の一側と、他方の導電板６のスリット８の他側とが電気的接続を得るようにして圧入接合部５で接合される。【選択図】        図１
2014078641.tif 000002
【特許請求の範囲】
【請求項１】
環状であるとともに一部がスリット（８）で分断される複数枚の導電金属製の導電板（６）が、前記スリット（８）の位置を順次オフセットしつつ積層され、その積層状態での通電経路を螺旋状とすべく積層方向で隣接する前記導電板（６）同士が前記スリット（８）の一側および他側で接合される積層コイルにおいて、導電性を有する金属素材（２２）の両面に該金属素材（２２）よりも軟質である絶縁皮膜（７）が被着されて成る複合素材（１１）から形成される複数枚の前記導電板（６）が、その導電板（６）の両面に被着された前記絶縁皮膜（７）を対向させつつ積層され、積層方向で隣接する前記導電板（６）のうち一方の前記導電板（６）の前記スリット（８）の一側と、他方の前記導電板（６）の前記スリット（８）の他側とが電気的接続を得るようにして圧入接合部（５）で接合されることを特徴とする積層コイル。
【請求項２】
前記圧入接合部（５）が、積層方向で隣接する前記導電板（６）の一方に形成されて他方の前記導電板（６）側に突出するとともに前記スリット（８）の一側に配置される突部（９）と、前記絶縁皮膜（７）のうち前記突部（９）の側面を覆う部分を剥離しつつ該突部（９）を受け入れるようにして前記他方の前記導電板（６）に形成されて前記スリット（８）の他側に配置される圧入孔（１０）とから成ることを特徴とする請求項１記載の積層コイル。
【請求項３】
請求項２記載の積層コイルを製造するための積層コイルの製造方法であって、導電金属から成る帯状の金属素材（２２）の両面に該金属素材（２２）よりも軟質である絶縁皮膜（７）が予め被着された複合素材（１１）に複数の前記導電板（６）に個別に対応した前記突部（９）を形成する突部形成工程と、前記複合素材（１１）に複数の前記導電板（６）に個別に対応した前記圧入孔（１０）を穿孔する圧入孔穿孔工程と、一部がスリット（８）で分断された環状であって前記突部（９）および前記圧入孔（１０）を前記スリット（８）の両側に有する複数枚の前記導電板（６）をその両面に前記絶縁皮膜（７）が被着したままで前記複合素材（１１）から切り出す切り出し工程と、該切り出し工程で切り出した複数枚の前記導電板（６）を相互に対応する前記突部（９）および前記圧入孔（１０）を対向させるようにしつつ順次積層する積層工程と、前記絶縁皮膜（７）のうち前記突部（９）の側面を覆う部分を剥離するようにして該突部（９）を前記圧入孔（１０）に圧入しつつ積層状態にある複数枚の前記導電板（６）を積層方向に圧縮して積層コイルを形成する圧入組立工程とを実行することを特徴とする積層コイルの製造方法。
【請求項４】
前記圧入組立工程では、前記突部（９）の前記圧入孔（１０）への圧入によって剥離して前記突部（９）の側面から除去した絶縁皮膜（７）を複数枚の前記導電板（６）間に圧縮、保持することを特徴とする請求項３記載の積層コイルの製造方法。
【発明の詳細な説明】
【技術分野】
【０００１】
本発明は、環状であるとともに一部がスリットで分断される複数枚の導電金属製の導電板が、前記スリットの位置を順次オフセットしつつ積層され、その積層状態での通電経路を螺旋状とすべく積層方向で隣接する前記導電板同士が前記スリットの一側および他側で接合される積層コイルおよび積層コイルの製造方法に関する。
【背景技術】
【０００２】
巻線断面積が大きい平角線を巻きあげて高効率なコイル、所謂エッジワイス型のインダクタコイルを製作するにあたって、平角線を一巻ずつ順次巻き上げる作業は、コイルの設定容量が大きいものほど平角線が太くなるので巻き上げ難くなり、製作時間を要するのでコストが高くなる上に、緊密に巻くことが困難であることからコイルを所望の形状に仕上げることが難しい、という課題がある。このような課題を解決するために、所望の環状の形状とした複数枚の導電板を、順次接合して積層することで積層コイルを得るようにした者が、特許文献１および特許文献２で知られている。
【先行技術文献】
【特許文献】
【０００３】
【特許文献１】特開２００４−３６３５１４号公報
【特許文献２】特開２００１−１６７９３０号公報
【発明の開示】
【発明が解決しようとする課題】
【０００４】
特許文献１で開示されたものでは、環状であるとともに一部がスリットで始端および終端に分断された形状を有する複数枚の導電板を、スリットの位置を順次オフセットしつつ積層し、積層方向で隣接する導電板の終端および始端を溶接あるいはろう付けで接合するようにしている。このため溶接による場合には、溶接時の熱で導電板が変形してしまう可能性があり、レーザー溶接による場合には、適切なエアギャップ管理をしなければならないので導電板を１枚ずつ養生して溶接する工程を繰り返す必要があり、積層コイルの組立に時間がかかってしまう。またろう付けによる場合には、接触不良を起こさないようにするために、接合面、はんだおよびはんだ条件の管理に手間がかかる上、導電板を銅板としたときには銅がはんだに溶けだしたりすることで固着強度や伝動伝導率の低下を生じたりする等の懸念材料が多く、手間がかかってしまう。
【０００５】
また特許文献２で開示されたものでは、Ｃ字型、Ｕ字型またはＬ字型に形成される導電板および絶縁材を螺旋状となるように交互に積層し、導電部としてのはんだまたは導電性接着材で導電板同士を接合するようにしている。このため絶縁性を考慮して絶縁板の厚みを所定量確保しようとすると、絶縁材の厚み分だけ、はんだまたは導電性接着剤の使用量が増えるので、手間がかかる上にコスト高となり、また絶縁材および導電板相互の位置を定める構成となっていないので組立てに時間がかかってしまう。
【０００６】
本発明は、かかる事情に鑑みてなされたものであり、手間がかからないようにして容易に製作可能としてコスト低減を図った積層コイルと、その積層コイルを適切に製造可能とした積層コイルの製造方法を提供することを目的とする。
【課題を解決するための手段】
【０００７】
上記目的を達成するために、本発明は、環状であるとともに一部がスリットで分断される複数枚の導電金属製の導電板が、前記スリットの位置を順次オフセットしつつ積層され、その積層状態での通電経路を螺旋状とすべく積層方向で隣接する前記導電板同士が前記スリットの一側および他側で接合される積層コイルにおいて、導電性を有する金属素材の両面に該金属素材よりも軟質である絶縁皮膜が被着されて成る複合素材から形成される複数枚の前記導電板が、その導電板の両面に被着された前記絶縁皮膜を対向させつつ積層され、積層方向で隣接する前記導電板のうち一方の前記導電板の前記スリットの一側と、他方の前記導電板の前記スリットの他側とが電気的接続を得るようにして圧入接合部で接合されることを第１の特徴とする。
【０００８】
また本発明は、第１の特徴の構成に加えて、前記圧入接合部が、積層方向で隣接する前記導電板の一方に形成されて他方の前記導電板側に突出するとともに前記スリットの一側に配置される突部と、前記絶縁皮膜のうち前記突部の側面を覆う部分を剥離しつつ該突部を受け入れるようにして前記他方の前記導電板に形成されて前記スリットの他側に配置される圧入孔とから成ることを第２の特徴とする。
【０００９】
本発明は、第２の特徴の積層コイルを製造するための積層コイルの製造方法であって、導電金属から成る帯状の金属素材の両面に該金属素材よりも軟質である絶縁皮膜が予め被着された複合素材に複数の前記導電板に個別に対応した前記突部を形成する突部形成工程と、前記複合素材に複数の前記導電板に個別に対応した前記圧入孔を穿孔する圧入孔穿孔工程と、一部がスリットで分断された環状であって前記突部および前記圧入孔を前記スリットの両側に有する複数枚の前記導電板をその両面に前記絶縁皮膜が被着したままで前記複合素材から切り出す切り出し工程と、該切り出し工程で切り出した複数枚の前記導電板を相互に対応する前記突部および前記圧入孔を対向させるようにしつつ順次積層する積層工程と、前記絶縁皮膜のうち前記突部の側面を覆う部分を剥離するようにして該突部を前記圧入孔に圧入しつつ積層状態にある複数枚の前記導電板を積層方向に圧縮して積層コイルを形成する圧入組立工程とを実行することを第３の特徴とする。
【００１０】
さらに本発明は、第３の特徴の構成に加えて、前記圧入組立工程では、前記突部の前記圧入孔への圧入によって剥離して前記突部の表面から除去した絶縁皮膜を複数枚の前記導電板間に圧縮、保持することを第４の特徴とする。
【発明の効果】
【００１１】
本発明の第１の特徴によれば、導電性を有する金属素材の両面に絶縁皮膜が被着されて成る複合素材から形成されるとともに両面に絶縁皮膜が形成されたままの複数枚の導電板が絶縁皮膜を対向させつつ積層され、積層方向で隣接する導電板のうち一方の導電板のスリットの一側と、他方の導電板のスリットの他側とが圧入接合部で接合されるので、溶接またはんだ付け等の手間のかかる作業が不要であり、安価な積層コイルを得ることができる。
【００１２】
また本発明の第２の特徴によれば、スリットの一側に配置される突部と、スリットの他側に配置されて前記突部を圧入させる圧入孔とで圧入接合部を構成するので、積層方向で隣接する導電板同士の電気的接続を容易に達成することができ、しかも突部を圧入孔に圧入する際に、絶縁皮膜のうち突部の側面を覆っていた部分が剥離するので、絶縁皮膜が両面に被着した状態で積層される複数枚の導電板同士の電気的接続を得るにあたって絶縁皮膜の一部を剥離、除去するといった手間のかかる作業が不要であり、これによっても安価な積層コイルを得ることができる。
【００１３】
本発明の第３の特徴によれば、金属素材の両面に絶縁皮膜が予め被着された複合素材に突部を形成する突部形成工程と、複合素材に複数の導電板に個別に対応した圧入孔を穿孔する圧入孔穿孔工程と、複数枚の導電板をその両面に絶縁皮膜が被着したままで複合素材から切り出す切り出し工程と、複数枚の前記導電板を相互に対応する突部および圧入孔を対向させて順次積層する積層工程と、絶縁皮膜のうち突部の側面を覆う部分を剥離するようにして該突部を圧入孔に圧入しつつ複数枚の導電板を積層方向に圧縮して積層コイルを形成する圧入組立工程とを実行するので、絶縁皮膜の一部を剥離させる専用作業を不要として製作工程の短縮を図り、積層コイルを安価に製作することができる。
【００１４】
さらに本発明の第４の特徴によれば、圧入孔への圧入によって剥離して突部の表面から除去した絶縁皮膜を導電板間に圧縮、保持するので、剥離した絶縁皮膜を除去する作業が不要であり、製作工程をより短縮化することができる。
【図面の簡単な説明】
【００１５】
【図１】積層コイルの一部を示す縦断面図である。
【図２】導電板の形状を示すために積層順に導電板を並べて示す図である。
【図３】積層コイルの製造装置を簡略化して示す図である。
【発明を実施するための形態】
【００１６】
以下、本発明の実施の形態について図１〜図３を参照しながら説明すると、先ず図１において、この積層コイルは、銅等の導電金属から成る複数枚の横断面矩形状の導電板６，６，６…が、それらの導電電板６，６，６…の両面に被着された絶縁皮膜７，７，７…を対向させつつ、通電経路が螺旋状となるように積層、接合されて成るものである。
【００１７】
図２において、前記導電板６，６，６…は、環状であるとともに一部がスリット８，８，８…で分断された形状を有するものであり、この実施の形態では、全体として矩形状に形成される導電板６の一部がスリット８で分断される。
【００１８】
しかも両面に絶縁皮膜７，７，７…が被着された前記各導電板６，６，６…は、前記スリット８，８，８…の位置を積層順に順次オフセットしつつ前記絶縁皮膜７，７，７…を対向させて積層され、積層方向で隣接する前記導電板６，６のうち一方の前記導電板６の前記スリット８の一側と、他方の前記導電板６の前記スリット８の他側とが、電気的接続を得るようにして圧入接合部５，５，５…で接合される。
【００１９】
前記圧入接合部５は、積層方向で隣接する前記導電板６の一方に形成されて他方の前記導電板６側に突出するとともに前記スリット８の一側に配置される突部９と、前記絶縁皮膜７のうち前記突部９の側面を覆う部分を剥離しつつ前記突部９を受け入れるようにして前記他方の前記導電板６に形成されて前記スリット８の他側に配置される圧入孔１０とから成り、積層方向両端の導電板６，６を除く複数の導電板６，６，６…には、前記スリット８，８，８…の一側に配置されて積層方向の一方に突出する突部９，９，９…と、該突部９，９，９…を受け入れるようにして前記スリット８，８，８…の他側に配置される圧入孔１０，１０，１０…とが設けられる。
【００２０】
積層方向両端の導電板６，６には、図２の左端位置に示すように、完成後の積層コイルを外部回路と接続するために外側方に延出する接続端子部６ａ…が設けられるので、前記突部９および前記圧入孔１０のいずれか一方が設けられるだけであり、前記突部９および前記圧入孔の両方が設けられることはない。
【００２１】
積層コイルを製造するにあたっては、図３で示すような製造装置が用いられるものであり、この製造装置は、銅等の導電金属から成る帯状の金属素材２２の両面に該金属素材２２よりも軟質なエナメル樹脂等から成る絶縁皮膜７が予め被着された状態でロール１６に巻かれた複合素材１１を上下で対をなす複数組のローラ１２，１３…間を通すことで矯正する矯正装置１７と、その矯正装置１７を通った前記複合素材１１を上下で対をなすローラ１４，１５で挟んで送る送り装置１８と、送り装置１８から送られて来る複合素材１１に部分的なプレス加工を行う順送プレス装置１９と、順送プレス装置１９でのプレス加工後に両面に絶縁皮膜７，７，７…が被着された状態で導電板６，６，６…を打ち抜いて型枠内に積層した後に積層状態にある複数枚の前記導電板６，６，６…を積層方向に圧縮して圧入組み立てする積層装置２０と、積層装置２０での圧入組み立てによって製造された積層コイルを搬出するコンベア等の搬出装置（図示せず）とを備え、前記矯正装置１７、前記送り装置１８、前記順送プレス装置１９、前記積層装置２０および前記搬出装置の一連の作動は制御装置２１で自動制御される。
【００２２】
前記複合素材１１に部分的なプレス加工を行う前記順送プレス装置１９は、突部形成工程行程、圧入孔穿孔工程および切り出し工程を実行するのであるが、それらの工程を実行する前に、複合素材１１から導電板６，６，６…を切り出すことで生じる駄肉となる部分で前記複合素材１１に位置決め孔を穿孔する工程を前記順送プレス装置１９は実行する。前記位置決め孔は、たとえば矩形状の前記導電板６，６，６…の周囲の四隅に穿孔され、それらの位置決め孔に、前記順送プレス装置１９が備える位置決めピンを嵌装することで、前記送り装置１８から送られて来る複合素材１１が前記順送プレス装置１９でのプレス加工時に確実に位置決め保持されることになる。それによって精度のよい導電板６，６，６…が形成され、ひいては積層コイルが精度よく製造されることになる。
【００２３】
前記突部形成工程は、前記複合素材１１に複数の前記導電板６，６，６…に個別に対応した前記突部９，９，９…を、前記絶縁皮膜７，７，７…で覆われたまま前記複合素材１１の一面から突出するように形成する工程である。
【００２４】
前記圧入孔穿孔工程は、前記複合素材１１に複数の前記導電板６，６，６…に個別に対応した前記圧入孔１０，１０，１０…を、複合素材１１とその両面の絶縁皮膜７，７を貫通するようにして穿孔する工程である。
【００２５】
而して前記順送プレス装置１９は、積層コイルにおいて積層方向の一端に位置する導電板６を形成する部分の前記複合素材１１には、前記突部形成工程で前記突部９を形成するものの前記圧入孔穿孔工程で圧入孔１０を穿孔することはなく、また前記積層方向の他端に位置する導電板６を形成する部分の前記複合素材１１には、前記圧入孔穿孔工程で前記圧入孔１０を穿孔するものの前記突部形成工程で前記突部９を形成することはない。
【００２６】
前記切り出し工程は、一部がスリット８，８，８…で分断された環状であって前記突部９，９，９…および前記圧入孔１０，１０，１０…を前記スリット８，８，８…の両側に有する複数枚の前記導電板６，６，６…をその両面に前記絶縁皮膜７，７，７…が被着したままで前記複合素材１１から切り出す工程である。
【００２７】
また前記順送プレス装置１９は、その切り出し工程で積層コイルにおいて積層方向の両端に位置する導電板６，６をその両面に前記絶縁皮膜７，７，７…が被着したままで前記複合素材１１から切り出すにあたっては、前記接続端子部６ａ…を一体に有するようにして導電板６，６を切り出す。
【００２８】
なお前記順送プレス装置１９から前記積層装置２０に導電板６，６，６…を容易に搬送するために、前記順送プレス装置１９での前記切り出し工程の終了後に、この実施の形態では、導電板６，６，６…のおおよその内外形を形成した後も依然として導電板６，６，６…を複合素材１１に保持するために、複合素材１１のうち駄肉となる部分と、前記導電板６，６，６…とは、狭隘な枝部（図示せず）で連結されたままである。
【００２９】
また前記突部形成工程は、突部９，９，９…の形成時にその突部９，９，９…の周囲で複合素材１１が寄り集まるので、導電板６，６，６…の内形および外形を切り出す前記切り出し工程に先んじて前記突部９，９，９…を形成することが望ましい。
【００３０】
積層装置２０は、前記順送プレス装置１９でのプレス加工後に、積層工程および圧入組立工程を実行するものであり、前記積層工程は、前記順送プレス装置１９での切り出し工程で切り出した複数枚の前記導電板６，６，６…を相互に対応する前記突部９，９，９…および前記圧入孔１０，１０，１０…を対向させるようにしつつ順次積層する工程である。
【００３１】
前記圧入組立工程は、前記絶縁皮膜７，７，７…のうち前記突部９，９，９…の側面を覆う部分を剥離しながら該突部９，９，９…を前記圧入孔１０，１０，１０…に圧入するようにしつつ、積層状態にある複数枚の前記導電板６，６，６…を上方もしくは下方から油圧等で積層方向に圧縮して積層コイルを形成する工程であり、この圧入組立工程で、積層方向で隣接する導電板６，６の一方のスリット８の一側と、他方の前記導電板６の前記スリット８の他側とが、電気的接続を得るようにして圧入接合部５で接合されることになる。
【００３２】
しかも前記圧入組立工程では、前記突部９，９，９…の前記圧入孔１０，１０，１０…への圧入によって剥離して前記突部９，９，９…の側面から除去した絶縁皮膜７，７，７…を複数枚の前記導電板６，６，６…間に圧縮、保持する。
【００３３】
次にこの実施の形態の作用について説明すると、積層コイルは、環状であるとともに一部がスリット８，８，８…で分断された形状を有する複数枚の導電板６，６，６…が、前記スリット８，８，８…の位置を順次オフセットしつつ積層されるとともに、積層方向で隣接する前記導電板６，６のうち一方の前記導電板６の前記スリット８の一側と、他方の前記導電板６の前記スリット８の他側とが電気的接続を得るようにして圧入接合部５で接合されて成るものであるので、溶接、接着またはんだ付け等の手間のかかる作業が不要であり、通電経路が螺旋状となるような電気的接続が容易に得られるようにして、安価な積層コイルを得ることができる。
【００３４】
しかも前記導電板６，６，６…は、導電性を有する金属素材２２の両面に該金属素材２２よりも軟質である絶縁皮膜７が被着されて成る複合素材１１から形成されており、導電板６，６，６…相互間に別体の絶縁材を挟むことが不要である。
【００３５】
また前記圧入接合部５が、積層方向で隣接する前記導電板６，６の一方に形成されて他方の前記導電板６側に突出するとともに前記スリット８の一側に配置される突部９と、前記絶縁皮膜７のうち前記突部９の側面を覆う部分を剥離しつつ前記突部９を受け入れるようにして他方の前記導電板６に形成されて前記スリット８の他側に配置される圧入孔１０とから成るので、積層方向で隣接する導電板６，６同士の電気的接続を容易に達成することができ、しかも突部９を圧入孔１０に圧入する際に、絶縁皮膜７のうち突部９の側面を覆っていた部分が剥離するので、絶縁皮膜７，７…が両面に被着した状態で積層される複数枚の導電板６，６，６…同士の電気的接続を得るにあたって絶縁皮膜７，７，７…の一部を剥離、除去するといった手間のかかる作業が不要であり、これによっても安価な積層コイルを得ることができる。
【００３６】
さらに積層コイルを製造するにあたっては、導電金属から成る帯状の金属素材２２の両面に該金属素材２２よりも軟質である絶縁皮膜７が予め被着された複合素材１１に複数の前記導電板６，６，６…に個別に対応した前記突部９，９，９…を形成する突部形成工程と、前記複合素材１１に複数の前記導電板６，６，６…に個別に対応した前記圧入孔１０，１０，１０…を穿孔する圧入孔穿孔工程と、一部がスリット８，８，８…で分断された環状であって前記突部９，９，９…および前記圧入孔１０，１０，１０…を前記スリット８，８，８…の両側に有する複数枚の前記導電板６，６，６…をその両面に前記絶縁皮膜７，７…が被着したままで前記複合素材１１から切り出す切り出し工程と、該切り出し工程で切り出した複数枚の前記導電板６，６，６…を相互に対応する前記突部９，９，９…および前記圧入孔１０，１０，１０…を対向させるようにしつつ順次積層する積層工程と、前記絶縁皮膜７，７，７…のうち前記突部９，９，９…の側面を覆う部分を剥離するようにして該突部９，９，９…を前記圧入孔１０，１０，１０…に圧入しつつ積層状態にある複数枚の前記導電板６，６，６…を積層方向に圧縮して積層コイルを形成する圧入組立工程とを実行するので、絶縁皮膜７，７，７…の一部を剥離させる専用作業を不要として製作工程の短縮を図り、積層コイルを安価に製作することができる。
【００３７】
また圧入組立工程では、前記突部９，９，９…の前記圧入孔１０，１０，１０…への圧入によって剥離して前記突部９，９，９…の側面から除去した絶縁皮膜７，７，７…を複数枚の前記導電板６，６，６…間に圧縮、保持するので、剥離した絶縁皮膜７，７，７…を除去する作業が不要であり、製作工程をより短縮化することができる。
【００３８】
さらに積層コイルを製造するための矯正装置１７、送り装置１８、順送プレス装置１９、積層装置２０および搬出装置の一連の作動を制御装置２１で自動制御することによって、効率良く積層コイルを製造することができる。
【００３９】
以上、本発明の実施の形態について説明したが、本発明は上記実施の形態に限定されるものではなく、特許請求の範囲に記載された本発明を逸脱することなく種々の設計変更を行うことが可能である。
【符号の説明】
【００４０】
５・・・圧入接合部
６・・・導電板
７・・・絶縁皮膜
８・・・スリット
９・・・突部
１０・・・圧入孔
１１・・・複合素材
２２・・・金属素材
【図１】
2014078641.tif 000003
【図２】
2014078641.tif 000004
【図３】
2014078641.tif 000005